(57)【要約】【課題】試料への分析結果の論理割り当ての完全性を確実にすることを可能にするラボラトリシステムを提供する【解決手段】本発明は、ラボラトリオートメーションシステム（１０）のためのラボラトリシステム（２００）に関する。ラボラトリシステム（２００）は、試料容器搬送装置（２１０）を備える。試料容器搬送装置（２１０）は、ラボラトリ試料容器（１３０）を搬送するように適合され、かつ取り出し検出器（２２０）を備える。取り出し検出器（２２０）は、ラボラトリ試料容器（１３０）と相互作用して、試料容器搬送装置（２１０）からの搬送されたラボラトリ試料容器（１３０）の取り出しを検出するように適合される。さらには、ラボラトリシステム（２００）は、検出された取り出しに基づいて、搬送されたラボラトリ試料容器（１３０）への試料容器搬送装置（２１０）の有効前の論理割り当てが無効であることを決定するように構成される。【選択図】図２
2019158875.tif 000002
【特許請求の範囲】
【請求項１】
ラボラトリオートメーションシステム（１０）のためのラボラトリシステム（２００）であって
前記ラボラトリシステム（２００）が、試料容器搬送装置（２１０）を備え、前記試料容器搬送装置（２１０）が、ラボラトリ試料容器（１３０）を搬送するように適合され、かつ取り出し検出器（２２０）を備え、前記取り出し検出器（２２０）が、前記ラボラトリ試料容器（１３０）と相互作用して、前記試料容器搬送装置（２１０）からの搬送された前記ラボラトリ試料容器（１３０）の取り出しを検出するように適合され、
前記ラボラトリシステム（２００）が、検出された前記取り出しに基づいて、前記搬送されたラボラトリ試料容器（１３０）への前記試料容器搬送装置（２１０）の有効前の論理割り当てが無効であることを決定するように適合される
ラボラトリオートメーションシステム（１０）のためのラボラトリシステム（２００）。
【請求項２】
前記取り出し検出器（２２０）が、
前記ラボラトリ試料容器（１３０）と相互作用して、前記試料容器搬送装置（２１０）からの前記搬送されたラボラトリ試料容器（１３０）の取り出しを検出するように適合される、スイッチ（２２１）、光学センサ、容量センサ、圧力センサ、温度センサ、および／または形状記憶合金を備える、請求項１に記載のラボラトリシステム（２００）。
【請求項３】
前記試料容器搬送装置（２１０）が、メモリ素子（２３０）を備え、前記メモリ素子（２３０）が、前記検出された取り出しに基づいた情報、前記論理割り当てが有効であるということに基づいた情報、および／または前記論理割り当てが無効であるということに基づいた情報を格納するように適合される、請求項１または２のいずれか一項に記載のラボラトリシステム（２００）。
【請求項４】
前記試料容器搬送装置（２１０）が、受信器（２４１）を備え、前記受信器（２４１）が、前記論理割り当てが有効であるということに基づいた情報を受信し、前記情報を前記メモリ素子（２３０）に格納するように適合される、請求項３に記載のラボラトリシステム（２００）。
【請求項５】
前記試料容器搬送装置（２００）が、送信器（２４２）を備え、前記送信器（２４２）が、前記検出された取り出しに基づいた情報、前記論理割り当てが有効であるということに基づいた情報、および／または前記論理割り当てが無効であるという情報を送信するように適合される、請求項１から４のいずれか一項に記載のラボラトリシステム（２００）。
【請求項６】
前記試料容器搬送装置（２１０）が、応答器（２４０）を備え、前記応答器（２４０）が、前記送信器（２４２）および受信器（２４１）を備え、前記応答器（２４０）が、前記情報に対する問合せを受信し、受信した前記問合せに応答して前記情報を送信するように適合される、請求項５に記載のラボラトリシステム（２００）。
【請求項７】
前記応答器（２４０）が、近距離無線通信応答器である、請求項６に記載のラボラトリシステム（２００）。
【請求項８】
前記受信器（２４１）が、エネルギーを収集し、収集された前記エネルギーを前記試料容器搬送装置（２１０）に供給するように適合される、請求項４から７のいずれか一項に記載のラボラトリシステム（２００）。
【請求項９】
前記検出された取り出しに基づいた情報、前記論理割り当てが有効であるということに基づいた情報、および／または前記論理割り当てが無効であるという情報を、前記試料容器搬送装置（２１０）から受信するように適合される、受信器ステーション（３３０）を備える、請求項１から８のいずれか一項に記載のラボラトリシステム（２００）。
【請求項１０】
前記論理割り当てが有効であるという情報を、前記試料容器搬送装置（２１０）に送信するように適合される、送信器ステーション（３２０）を備える、請求項１から９のいずれか一項に記載のラボラトリシステム（２００）。
【請求項１１】
前記ラボラトリ試料容器（１３０）のバーコード（ＢＣ）を読み取り、読み取られた前記バーコード（ＢＣ）を前記試料容器（２１０）に論理的に割り当てるように適合される、バーコードリーダーおよび割り当てステーション（３１０）を備える、請求項１から１０のいずれか一項に記載のラボラトリシステム（２００）。
【請求項１２】
前記ラボラトリ試料容器（１３０）を前記試料容器搬送装置（２１０）上に装荷し、装荷された前記ラボラトリ試料容器（１３０）への前記試料容器搬送装置（２１０）の前記論理割り当てが有効であることを決定するように適合される、装荷および割り当てステーション（３００）を備える、請求項１から１１のいずれか一項に記載のラボラトリシステム（２００）。
【請求項１３】
請求項１から１２のいずれか一項に記載のラボラトリシステム（２００）と、
前記試料容器搬送装置（２１０）を支持するように適合される輸送平面（１１０）と、
前記試料容器搬送装置（２１０）を前記輸送平面（１１０）上で移動させるように適合されるいくつかの駆動素子（１２０）と、
前記試料容器搬送装置（２１０）が対応する輸送パスに沿って前記輸送平面（１１０）上を移動するように、前記いくつかの駆動素子（１２０）を制御するように構成される制御デバイス（１２５）と
を備える、ラボラトリオートメーションシステム（１０）のためのラボラトリ試料分配（１００）システム。
【請求項１４】
前記試料容器搬送装置（２１０）が、磁気的に活性なデバイス（２１５）を備え、
前記いくつかの駆動素子（１２０）が、いくつかの電磁アクチュエータ（１２１）を備え、前記いくつかの電磁アクチュエータ（１２１）が、前記輸送平面（１１０）の下に静止配置され、かつ、前記試料容器搬送装置（２１０）に対して磁気駆動力を印加することによって前記試料容器搬送装置（２１０）を前記輸送平面（１１０）上で移動させるように適合され、
前記制御デバイス（１２５）が、前記試料容器搬送装置（２１０）が前記対応する輸送パスに沿って前記輸送平面（１１０）上を移動するように、前記いくつかの電磁アクチュエータ（１２１）を制御するように構成される、請求項１３の記載のラボラトリ試料分配（１００）システム。
【請求項１５】
ラボラトリオートメーションシステム（１０）であって、
試料（１３９）を分析するように適合されるいくつかの分析ステーション（２０）、
請求項１から１２のいずれか一項に記載のラボラトリシステム（２００）、および／または、前記試料容器搬送装置（２１０）を前記いくつかの分析ステーション（２０）へ移動させるように適合される、請求項１３または１４に記載のラボラトリ試料分配システム（１００）を備え、
前記ラボラトリオートメーションシステム（１０）が、決定された前記無効な前記論理割り当てに基づいて、分析すること、および／または、分析結果を前記搬送されたラボラトリ試料容器（１３０）に含まれる前記試料（１３９）に論理的に割り当てることを防ぐように適合される
ラボラトリオートメーションシステム（１０）。
【発明の詳細な説明】
【技術分野】
【０００１】
本発明は、ラボラトリシステム、そのようなラボラトリシステムを備えるラボラトリ試料分配システム、ならびにそのようなラボラトリシステムおよび／またはそのようなラボラトリ試料分配システムを備えるラボラトリオートメーションシステムに関する。
【背景技術】
【０００２】
知られているラボラトリオートメーションシステムは、典型的には、いくつかの分析ステーションと、試料容器搬送装置によっていくつかの分析ステーションに搬送されるラボラトリ試料容器に含まれる試料を移動させるために、ラボラトリ試料分配とを備える。そのようなラボラトリオートメーションシステムは、ＷＯ２０１３／０６４６６２  Ａ１に示される。ラボラトリオートメーションシステムは、試料容器搬送装置に対応する固有の識別（ＩＤ）および試料容器搬送装置によって搬送されるラボラトリ試料容器ＩＤのマッチングペアを格納するように適合されるメモリデバイスを備えて、処理パスにわたってラボラトリ試料容器を制御および追跡することを可能にする。
【先行技術文献】
【特許文献】
【０００３】
【特許文献１】ＷＯ２０１３／０６４６６２  Ａ１
【発明の概要】
【課題を解決するための手段】
【０００４】
本発明の目的は、試料への分析結果の論理割り当ての完全性を確実にすることを可能にするラボラトリシステムを提供することである。本発明のさらなる目的は、そのようなラボラトリシステムを備えるラボラトリ試料分配システム、ならびにそのようなラボラトリシステムおよび／またはそのようなラボラトリ試料分配システムを備えるラボラトリオートメーションシステムを提供することである。
【０００５】
これらの目的は、請求項１に記載のラボラトリシステム、請求項１３に記載のラボラトリ試料分配システム、および請求項１５に記載のラボラトリオートメーションシステムによって解決される。好ましい実施形態は、従属請求項において規定される。
【０００６】
本発明は、ラボラトリオートメーションシステムのためのラボラトリシステムに関する。ラボラトリシステムは、試料容器搬送装置を備える。試料容器搬送装置は、ラボラトリ試料容器を搬送するように適合され、かつ取り出し検出器を備える。取り出し検出器は、ラボラトリ試料容器と相互作用して、試料容器搬送装置からの搬送されたラボラトリ試料容器の取り出しまたは荷降ろしを、それぞれ、検出する、特に自動的に検出するように適合される。さらには、ラボラトリシステムは、検出された取り出しに基づいて、または検出された取り出しとは独立して、それぞれ、搬送されたラボラトリ試料容器への試料容器搬送装置の有効前の論理割り当てが無効であることを、決定する、特に自動的に決定するように適合される。
【０００７】
特に、試料容器搬送装置による搬送前のラボラトリ試料容器は、特に故障または不正により、論理割り当てが無効であり得る別のラボラトリ試料容器と意図せずに交換され得る。それにより、間接的に、搬送前のラボラトリ試料容器への試料容器搬送装置の論理割り当ての使用による、搬送前のラボラトリ試料容器に含まれる試料への、搬送される別のラボラトリ試料容器に含まれる別の試料の分析結果の論理割り当ては、間違っている場合がある。これまでは、この間違った論理割り当てが未検出のままであった場合があるという可能性があった。
【０００８】
ここでは、試料容器搬送装置の取り出し検出器が、取り出しを検出することによって、潜在的な交換を検出することを可能にする。ラボラトリ試料容器は交換されている可能性があるため、検出された取り出しに基づいて、搬送されたラボラトリ試料容器への試料容器搬送装置の有効前の論理割り当てが無効であることが決定される。それにより、試料への分析結果の誤った論理割り当てのリスクが低減されるか、あるいは除去される。言い換えると、ラボラトリシステムは、試料への、およびそれにより対応する患者への、分析結果の論理割り当ての完全性を確実にすることを可能にする。
【０００９】
詳細には、ラボラトリ試料容器は、管として設計され得、ならびに／または、上端、天端、および／または切羽端に開口部を有し得る。さらには、ラボラトリ試料容器は、ガラスもしくは透明プラスチック、または任意の他の、特に何らかの、固体材料製であり得る。さらに、ラボラトリ試料容器またはその開口部は、それぞれ、栓またはキャップによって閉口され得る。栓は、ゴムおよび／またはプラスチックを含み得るか、または、完全にゴムおよび／もしくはプラスチックで構成され得る。さらに、栓は、箔、特に可撓性の箔、またはフィルムもしくはテープとして、あるいは蓋、特に剛性の蓋として具現化され得る。
【００１０】
さらには、ラボラトリ試料容器は、試料を含むように適合され得る。試料は、血液試料、血清試料、血漿試料、尿試料、ＣＦＳ試料、身体試料、水試料、または化学試料であり得る。特に、試料は液体であり得る。ラボラトリ試料容器またはその開口部は、それぞれ、ラボラトリ試料容器に含まれる試料を、存在する場合、処理する、特に分析するために開口状態である場合がある。
【００１１】
さらに、ラボラトリ試料容器は、特に固有の、ＩＤを含み得る。ＩＤは、ラボラトリ試料容器に含まれる試料を、存在する場合、表し得る。特に、ＩＤは、バーコードを含み得るか、またはバーコードであり得る。ラボラトリ試料容器のＩＤは、容器ＩＤとして表され得る。
【００１２】
しかしながら、常に、および／または各状況において、特にラボラトリオートメーションシステムのワークフローにおいて、ラボラトリオートメーションシステム内の試料の識別のためにラボラトリ試料容器、存在する場合、特にその容器ＩＤを直接使用することは、あまりにも複雑すぎる、特に時間がかかり過ぎる、あるいは不可能であり得る。
【００１３】
容器識別の代わりに、試料容器搬送装置、存在する場合、特に試料容器搬送装置のＩＤは、ラボラトリオートメーションシステム内の搬送されるラボラトリ試料容器に含まれる試料の識別のために直接的に使用され得る。
【００１４】
特に、試料容器搬送装置は、特に固有の、ＩＤを含むように適合され得る。ＩＤは、試料容器搬送装置、および／または搬送されるラボラトリ試料容器、および／または、存在する場合、搬送されるラボラトリ試料容器に含まれる試料を表し得る。試料容器搬送装置のＩＤは、搬送装置ＩＤとして表され得る。
【００１５】
論理割り当ては、容器ＩＤへの搬送装置ＩＤの割り当てであり得る。さらに、割り当ては、リンクまたは関連付けとして表され得る。有効は、正解として表され得る。無効は、不正解として表され得る。
【００１６】
さらには、試料容器搬送装置は、特に搬送される、ラボラトリ試料容器、および／または、存在する場合、ラボラトリ試料容器に含まれる試料の識別のためのいかなる手段も備える必要がない。特に、試料容器搬送装置は、容器ＩＤを読み取るためのリーダーを備える必要がない。
【００１７】
さらに、試料容器搬送装置は、１つのみまたは単一のラボラトリ試料容器を搬送するように適合または具現化され得る。試料容器搬送装置は、単一の試料容器搬送装置として表され得る。さらに、試料容器搬送装置は、ラボラトリ試料分配システムおよび／またはラボラトリオートメーションシステム内の、搬送される、特に開口状態の、ラボラトリ試料容器を移動させるように適合され得る。
【００１８】
特に、試料容器搬送装置は、検出された取り出しに基づいて、搬送されるラボラトリ試料容器への試料容器搬送装置の有効前の論理割り当てが無効であることを決定するように適合され得る。
【００１９】
取り出し検出器は、ラボラトリ試料容器と、接触せずに、または接触して、特に、ラボラトリ試料容器の外側において、特に周囲において、ラボラトリ試料容器に接触することによって、相互作用するように適合され得る。特に、取り出し検出器は、ラボラトリ試料容器の存在を検出するように適合され得る。取り出し検出器は、存在検出器として表され得る。さらには、取り出し検出器は、試料容器搬送装置の底部またはラボラトリ試料容器アダプタ内に配置され得る。
【００２０】
本発明の実施形態によると、取り出し検出器は、ラボラトリ試料容器と相互作用して、試料容器搬送装置からの搬送されるラボラトリ試料容器の取り出しを検出する、特に自動的に検出するように適合される、スイッチ、特に、マイクロスイッチ、光学センサ、容量センサ、圧力センサ、温度センサ、および／または形状記憶合金を備える。特に、スイッチは、ラボラトリ試料容器によって、存在する場合、押下され得、ラボラトリ試料容器がない場合は、特にバネによって、押下されない、機械スイッチであり得る。
【００２１】
本発明の実施形態によると、試料容器搬送装置はメモリ素子を備える。メモリ素子は、検出された取り出しに基づいた情報、論理割り当てが有効であるということに基づいた情報、および／または論理割り当てが無効であるということに基づいた情報を格納する、特に自動的に格納するように適合される。これは、情報が検出または決定の際、または検出または決定において送信される必要がないことを可能にし得るか、または許可し得るが、後で送信され得る。特に、メモリ素子は、書換可能および／または不揮発性メモリ素子であり得る。メモリ素子は、電気メモリ素子であり得る。特に、メモリ素子は、コンデンサ、フリップフロップもしくはラッチそれぞれ、マイクロコントローラ、および／または半導体メモリを備え得る。メモリ素子は、２つの、特に安定した、状態を有し得、状態情報を格納するために使用され得る。特に、第１の状態は、論理割り当てが有効であることであり得、第１とは異なる、第２の状態は、論理割り当てが無効であることであり得る。検出された取り出しに基づいた情報は、検出された取り出し後の時間または時間期間であり得る。この時間または時間期間は、特にラボラトリシステムまたはラボラトリシステムの制御デバイスそれぞれによる、試料容器搬送装置からのラボラトリ試料容器の最後の、特に意図的な、取り出し後、または試料容器搬送装置上へのラボラトリ試料容器の、特に意図的な、装荷後の時間もしくは時間期間と比較され得る。比較に基づいて、ラボラトリシステム、または、存在する場合、その制御デバイスは、搬送されるラボラトリ試料容器への試料容器搬送装置の有効前の論理割り当てが無効であることを決定し得る。制御デバイスは、集積回路、タブレットコンピュータ、スマートフォン、もしくはコンピュータを備え得るか、またはそれらであり得る。論理割り当てが有効であるということに基づいた情報は、ラボラトリ試料容器、存在する場合は、特に容器ＩＤ、および／または、存在する場合は、ラボラトリ試料容器に含まれる試料に関する情報であり得る。検出された取り出しに基づいて、特に、無効情報が生成され得るように、有効情報は削除または変更され得る。
【００２２】
本発明の実施形態によると、試料容器搬送装置は、受信器を備える。受信器は、論理割り当てが有効であるということに基づいた情報を、特に試料容器搬送装置の外側から、受信し、特に自動的におよび／またはワイヤレスで受信し、その情報をメモリ素子に格納するように適合される。特に、これは、試料容器搬送装置またはそのメモリ素子をそれぞれ、装備することを表され得る。受信器は、取り出し検出器と異なり得る。追加的または代替的に、受信器は、電気受信器、および／または、特にアンテナを備える、ワイヤレス受信器、特に無線受信器であり得る。
【００２３】
本発明の実施形態によると、試料容器搬送装置は、送信器を備える。送信器は、検出された取り出しに基づいた情報、論理割り当てが有効であるということに基づいた情報、および／または論理割り当てが無効であるという情報を、特に試料容器搬送装置の外側に、送信する、特に自動的におよび／またはワイヤレスで送信するように適合される。特に、送信器は、取り出し検出器と異なり得る。追加的または代替的に、送信器は、電気送信器、および／または、特にアンテナを備える、ワイヤレス送信器、特に無線送信器であり得る。情報は、メモリ素子の文脈において上に説明されるようなものであり得る。特に、有効情報が削除される場合、送信器は、送信しないように適合され得る。
【００２４】
本発明の実施形態によると、試料容器搬送装置は、応答器を備える。応答器は、送信器および受信器を備える。さらには、応答器は、問合せ、特に問合せ信号または問合せ波をそれぞれ、特にその受信器によって、受信し、特に自動的におよび／またはワイヤレスで受信し、受信した問合せに応答して情報をその送信器によって送信する、特に自動的に送信するように適合される。これは、問合せされた試料容器搬送装置のみが送信することを可能にし得る。特に、応答器は、取り出し検出器と異なり得る。追加的または代替的に、応答器は、電気応答器、および／またはワイヤレス応答器、特に無線応答器であり得る。送信器および受信器は、組み合わされ得、特に、それらは、トランシーバとして表され得る。受信器は、上に説明されるように具現化され得る。特に、応答器は、無線自動識別（ＲＦＩＤ）ラベルまたはタグとして具現化され得る。
【００２５】
本発明の実施形態によると、応答器は、近距離通信（ＮＦＣ）応答器である。これは、試料容器搬送装置のみが問合わされ得ることを可能にする。特に、通信範囲は、１センチメートル（ｃｍ）〜１０ｃｍ、特に２ｃｍ〜８ｃｍ、特に３ｃｍ〜６ｃｍ、特に４ｃｍの範囲内であり得る。
【００２６】
本発明の実施形態によると、受信器は、エネルギー、特に電気エネルギー、および／または問合せのエネルギーを収集し、特に自動的に収集し、試料容器搬送装置、特にその取り出し検出器、および／または、存在する場合は、そのメモリ素子に収集されたエネルギーを供給する、特に自動的に供給するように適合される。特に、試料容器搬送装置は、受動性の試料容器搬送装置および／またはパワーハーベスティング試料容器搬送装置として表され得る。言い換えると、試料容器搬送装置は、収集されたエネルギーによってのみ供給されるように適合され得る。さらに、言い換えると、試料容器搬送装置は、独自の電力源、特に蓄電池および／またはバッテリを備える必要がない。
【００２７】
本発明の実施形態によると、ラボラトリシステムは、受信器ステーションを備える。受信器ステーションは、検出された取り出しに基づいた情報、論理割り当てが有効であるということに基づいた情報、および／または論理割り当てが無効であるという情報を、試料容器搬送装置から受信する、特に自動的におよび／またはワイヤレスで受信するように適合される。特に、受信器ステーションは、試料容器搬送装置と異なり得る。追加的または代替的に、受信器ステーションは、電気受信器ステーション、ならびに／または、特にアンテナを備える、ワイヤレス受信器ステーション、特に無線受信器ステーション、特にＲＤＩＦ受信器ステーションおよび／もしくはＮＦＣ受信器ステーションであり得る。特に、受信器ステーションは、問合せを送信する、特に自動的におよび／またはワイヤレスで送信するように適合され得る。受信器ステーションは、リーダーステーションとして表され得る。情報は、メモリ素子の文脈において上に説明されるようなものであり得る。特に、有効情報が削除される場合、受信器ステーションは、情報を受信しないか、情報を読み出すことができない場合がある。これは、受信器ステーションが、論理割り当てが無効であることを認識することを可能にし得るか、または許可し得る。
【００２８】
本発明の実施形態によると、ラボラトリシステムは、送信器ステーションを備える。送信器ステーションは、論理割り当てが有効であるという情報を試料容器搬送装置に送信する、特に自動的におよび／またはワイヤレスで送信するように適合される。特に、これは、試料容器搬送装置、または、存在する場合、そのメモリ素子をそれぞれ、装備することを表され得る。追加的または代替的に、送信器ステーションは、試料容器搬送装置と異なり得る。さらには、送信器ステーションは、電気送信器ステーション、ならびに／または、特にアンテナを備える、ワイヤレス送信器ステーション、特に無線送信器ステーション、特にＲＤＩＦ送信器ステーションおよび／もしくはＮＦＣ送信器ステーションであり得る。送信器ステーションは、ライターステーションとして表され得る。情報は、メモリ素子の文脈において上に説明されるようなものであり得る。
【００２９】
本発明の実施形態によると、ラボラトリシステムは、バーコードリーダーおよび割り当てステーションを備える。バーコードリーダーおよび割り当てステーションは、ラボラトリ試料容器のバーコードを読み取り、特に自動的に読み取り、読み取られたバーコードを試料容器に論理的に割り当てる、特に自動的に割り当てるように適合される。特に、バーコードリーダーおよび割り当てステーションは、読み取られたバーコードを試料容器搬送装置に送信するように適合され得る。追加的または代替的に、バーコードリーダーおよび割り当てステーションは、試料容器搬送装置と異なり得る。さらには、バーコードリーダーおよび割り当てステーションは、電気バーコードリーダーおよび割り当てステーションであり得、特にバーコードリーダーおよび割り当てステーションは、カメラを備え得る。
【００３０】
本発明の実施形態によると、ラボラトリシステムは、装荷および割り当てステーションを備える。装荷および割り当てステーションは、ラボラトリ試料容器を試料容器搬送装置上に装荷し、特に自動的に装荷し、装荷されたラボラトリ試料容器への試料容器搬送装置の論理割り当てが有効であることを決定する、特に自動的に決定するように適合される。特に、装荷および割り当てステーションは、装荷されたラボラトリ試料容器への試料容器搬送装置の論理割り当てが有効であるという情報を試料容器搬送装置に送信するように適合され得る。追加的または代替的に、装荷および割り当てステーションは、試料容器搬送装置と異なり得る。さらには、装荷および割り当てステーションは、電気装荷および割り当てステーションであり得る。さらに、装荷および割り当てステーションは、挿入および割り当てステーションとして表され得る。
【００３１】
本発明は、ラボラトリオートメーションシステムのためのラボラトリ試料分配システムにさらに関する。ラボラトリ試料分配システムは、上に説明されるようなラボラトリシステムと、輸送平面、いくつかの駆動素子（例えば１〜１００００）、および特に制御デバイスとを備える。輸送平面は、特に搬送されたラボラトリ試料容器を伴う試料容器搬送装置を支持するように適合される。いくつかの駆動素子は、特に搬送されるラボラトリ試料容器を伴う試料容器搬送装置を輸送平面上で移動させる、特に自動的に移動させるように適合される。制御デバイスは、試料容器搬送装置が、対応する、特に個別の、輸送パスに沿って、輸送平面上を移動するように、いくつかの駆動素子を制御する、特に自動的に制御するように構成される。
【００３２】
本発明に従うラボラトリシステムを用いて、上に説明されるような本発明に従うラボラトリシステムの利点は、ラボラトリ試料分配システムに対して適用可能にされ得る。
特に、輸送平面は、輸送表面として表され得る。試料容器搬送装置を搬送するために表される試料容器搬送装置を支持するために。試料容器搬送装置は、輸送平面上を、または輸送平面にわたって、並進移動され得る。さらには、試料容器搬送装置は、輸送平面上を２つの次元に移動するように適合され得る。さらに、試料容器搬送装置は、輸送平面にわたって滑動し得る。特に、ラボラトリ試料分配システムは、特に上に説明されるような、複数の試料容器搬送装置（例えば１〜１０００）を備え得る。いくつかの駆動素子は、いくつかの電気駆動素子であり得る。制御デバイスは、複数の試料容器搬送装置が、対応する、特に個別の、輸送パスに沿って、輸送平面上を同時に移動するように、いくつかの駆動素子を制御するように構成され得る。さらに、制御デバイスは、集積回路、タブレットコンピュータ、スマートフォン、またはコンピュータを備え得るか、またはそれらであり得る。
【００３３】
さらには、受信器ステーション、送信器ステーション、バーコードリーダーおよび割り当てステーション、ならびに／または装荷および割り当てステーションは、存在する場合、ラボラトリ試料分配システムに、特にラボラトリ試料分配システムの輸送平面に隣接して、またはすぐ隣に、配置され得る。
【００３４】
本発明の実施形態によると、試料容器搬送装置は、磁気的に活性なデバイスを備える。いくつかの駆動素子は、いくつかの電磁アクチュエータを備える。いくつかの電磁アクチュエータは、輸送平面の下に静止配置され、かつ、磁気駆動力を試料容器搬送装置に印加することによって、試料容器搬送装置を輸送平面上で移動させる、特に自動的に移動させるように適合される。制御デバイスは、試料容器搬送装置が対応する輸送パスに沿って輸送平面上を移動するように、いくつかの電磁アクチュエータを制御する、特に自動的に制御するように構成される。
【００３５】
特に、いくつかの電磁アクチュエータは、試料容器搬送装置を輸送平面上で移動させるために磁場を生成するように適合され得る。磁気的に活性なデバイスは、磁気駆動力が試料容器搬送装置に印加されるように、いくつかの電磁アクチュエータによって生成される磁場と相互作用するように適合され得る。特に、磁気的に活性なデバイスは、永久磁石または電磁石であり得る。追加的または代替的に、磁気的に活性なデバイスは、磁気的に軟らかい材料を含み得る。いくつかの電磁アクチュエータは、強磁性コアを囲むいくつかのソレノイドであり得る。さらには、いくつかの電磁アクチュエータは、磁場を生成または提供するために、個別に駆動または励磁され得る。さらに、電磁アクチュエータは、２つの次元に、特に電磁アクチュエータが配置される行および列を有するグリッド内に、配置され得る。さらに、電磁アクチュエータは、輸送平面に平行な平面内に配置され得る。
【００３６】
追加的または代替的に、いくつかの駆動素子は、少なくとも１つのホイール、およびホイールを駆動するための駆動モータを備え得る。駆動モータおよびホイールは、試料容器搬送装置を輸送平面上で移動させる、特に自動的に移動させるように適合され得る。制御デバイスは、試料容器搬送装置が輸送パスに沿って輸送平面上を移動するように、少なくとも１つのホイールおよび／または駆動モータを制御する、特に自動的に制御するように構成され得る。特に、試料容器搬送装置は、少なくとも１つのホイールおよび／または少なくとも１つの駆動モータを備え得る。
【００３７】
本発明は、ラボラトリオートメーションシステムにさらに関する。ラボラトリオートメーションシステムは、いくつかの分析ステーションを備える。いくつかの分析ステーションは、試料を分析する、特に自動的に分析するように適合される。さらには、ラボラトリオートメーションシステムは、上に説明されるようなラボラトリシステムおよび／または上に説明されるようなラボラトリ試料分配システムを備える。ラボラトリ試料分配システムは、存在する場合、試料容器搬送装置をいくつかの分析ステーションに移動させる、特に自動的に移動させるように適合される。ラボラトリオートメーションシステム、または、存在する場合、その制御デバイスは、ラボラトリ試料容器への、特に試料容器搬送装置の、決定された無効の論理割り当てに基づいて、分析すること、および／または搬送されるラボラトリ試料容器に含まれる試料へ分析結果を論理的に割り当てることを防ぐ、特に自動的に防ぐように適合される。
【００３８】
本発明に従うラボラトリシステムおよび／またはラボラトリ試料分配システムを用いて、本発明に従うラボラトリシステムおよび／またはラボラトリ試料分配システムの利点は、ラボラトリオートメーションシステムに対して適用可能にされ得る。
【００３９】
言い換えると、ラボラトリオートメーションシステム、または、存在する場合、その制御デバイスは、決定された無効の論理割り当てに基づいて、試料容器搬送装置、搬送されるラボラトリ試料容器、および／またはラボラトリ試料容器に含まれる試料を拒否する、特に自動的に拒否するように適合され得る。追加的または代替的に、ラボラトリオートメーションシステム、または、存在する場合、その制御デバイスは、ラボラトリ試料容器への、特に試料容器搬送装置の、特に決定された、有効な論理割り当てに基づいて、分析すること、および／または搬送されるラボラトリ試料容器に含まれる試料へ分析結果を論理的に割り当てることを許可する、特に自動的に許可するように適合され得る。
【００４０】
いくつかの分析ステーションは、試料容器搬送装置と異なり得る。特に、いくつかの分析ステーションは、試料または試料の部分および試薬を使用して、測定信号を生成するように適合され得、測定信号は、分析物が存在するかどうか、ある場合はその濃度を示す。
【００４１】
さらには、ラボラトリオートメーションシステムは、いくつかの分析前ステーションおよび／または分析後ステーションを備え得る。いくつかの分析前ステーションは、試料、ラボラトリ試料容器、および／または試料容器搬送装置のあらゆる種類の前処理を実施するように適合され得る。いくつかの分析後ステーションは、試料、ラボラトリ試料容器、および／または試料容器搬送装置のあらゆる種類の後処理を実施するように適合され得る。
【００４２】
いくつかの分析前、分析、および／または分析後ステーションは、キャップ除去ステーション、リキャップステーション、アリコートステーション、遠心分離ステーション、アーカイブステーション、ピペットステーション、分類ステーション、管タイプ識別ステーション、試料品質決定ステーション、追加バッファステーション、液位検出ステーション、密封／密封除去ステーション、押圧ステーション、ベルトステーション、運搬システムステーション、および／またはラボラトリ試料容器を、試料容器搬送装置へまたは試料容器搬送装置から移動させるためのグリッパステーションのうちの少なくとも１つを備え得る。
【００４３】
さらには、存在する場合、いくつかの分析、分析前、および／または分析後ステーションは、存在する場合、ラボラトリ試料分配システムの、特にラボラトリ試料分配システムの輸送平面に隣接して、またはすぐ隣に配置され得る。
【００４４】
特に、ラボラトリ試料分配システムは、存在する場合、試料容器搬送装置をいくつかの分析前ステーション、分析後ステーション、受信器ステーション、送信器ステーション、バーコードリーダーおよび割り当てステーション、ならびに／または装荷および割り当てステーションへ、存在する場合、移動させるように適合され得る。特に、ラボラトリ試料分配システムは、試料容器搬送装置をステーション間で移動させるように適合され得る。
【００４５】
以下において、本発明の実施形態は、図面を参照して詳細に説明される。図面全体を通して、同じ要素は、同じ参照番号によって表される。
【図面の簡単な説明】
【００４６】
【図１】本発明に従うラボラトリオートメーションシステムの本発明に従うラボラトリ試料分配システムの本発明に従うラボラトリシステムの試料容器搬送装置の透視図である。
【図２】コンデンサの形態でメモリ素子を備える、図１の試料容器搬送装置の概略図である。
【図３】コンデンサの形態でメモリ素子を備える、図１の試料容器搬送装置の別の概略図である。
【図４】フリップフロップの形態でメモリ素子を備える、図１の試料容器搬送装置の概略図である。
【図５】マイクロコントローラの形態でメモリ素子を備える、図１の試料容器搬送装置の概略図である。
【図６】フリップフロップの形態でメモリ素子を備える、図１の試料容器搬送装置の別の概略図である。
【図７】マイクロコントローラの形態でメモリ素子を備える、図１の試料容器搬送装置の別の概略図である。
【図８】本発明に従うラボラトリシステムの、装荷および割り当てステーション、バーコードリーダーおよび割り当てステーション、ならびに送信器ステーションの側面図である。
【図９】図１の試料容器搬送装置からのラボラトリ試料容器の取り出しを示す図である。
【図１０】本発明に従うラボラトリシステムの受信器ステーションおよび本発明に従うラボラトリオートメーションシステムの分析ステーションの側面図である。
【図１１】本発明に従うラボラトリ試料分配システムの透視図である。
【図１２】図１の試料容器搬送装置の側面図である。
【発明を実施するための形態】
【００４７】
図１〜図１２は、発明のラボラトリオートメーションシステム１０を示す。ラボラトリオートメーションシステム１０は、発明のラボラトリ試料分配システム１００を備える。ラボラトリ試料分配システム１００は、発明のラボラトリシステム２００を備える。
【００４８】
ラボラトリシステム２００は、試料容器搬送装置２１０を備える。試料容器搬送装置２１０は、ラボラトリ試料容器１３０を搬送するように適合され、かつ取り出し検出器２２０を備える。取り出し検出器２２０は、ラボラトリ試料容器１３０と相互作用して、試料容器搬送装置２１０からの搬送されたラボラトリ試料容器１３０の取り出しを検出するように適合される。さらには、ラボラトリシステム２００は、検出された取り出しに基づいて、搬送されたラボラトリ試料容器１３０への試料容器搬送装２１０の有効前の論理割り当てが無効であることを決定するように構成される。
【００４９】
示される実施形態において、ラボラトリ試料容器１３０は、図２および図８〜図１２に示されるように、管として設計され、かつ、端、特に上端に、開口部１３１を有する。さらには、ラボラトリ試料容器１３０は、液体の形態で試料１３９を含む。
【００５０】
詳細には、試料容器搬送装置２１０は、図１、図８〜図１０、および図１２に示されるように、少なくとも１つの保持要素２１９を備える。少なくとも１つの保持要素２１９は、ラボラトリ試料容器１３０を、特にラボラトリ試料容器１３０の周囲において、保持するように適合される。さらに、試料容器搬送装置１３０は、特に少なくとも１つの保持要素２１９によって画定される、ラボラトリ試料容器１３０のための保持領域を含む。
【００５１】
取り出し検出器２２０は、試料容器搬送装置２１０の底部に、特に保持領域の端、特に下端に配置される。
示される実施形態において、取り出し検出器２２０は、ラボラトリ試料容器１３０と、接触により、特にラボラトリ試料容器１３０にその周囲において接触することによって、相互作用するように適合される。詳細には、取り出し検出器２２０は、図２〜図７に示されるように、スイッチ２２１、特に機械スイッチを備える。スイッチ２２１は、ラボラトリ試料容器１３０によって、存在する場合、押下され、ラボラトリ試料容器１３０がない場合は、特にバネによって、押下されないように適合される。
【００５２】
代替的な実施形態において、取り出し検出器は、ラボラトリ試料容器と、接触せずに相互作用するように適合され得る。追加的にまたは代替的に、代替的な実施形態において、取り出し検出器は、ラボラトリ試料容器と相互作用して、試料容器搬送装置からの搬送されたラボラトリ試料容器の取り出しを検出するように適合される、光学センサ、容量センサ、圧力センサ、温度センサ、および／または形状記憶合金を備える。
【００５３】
さらに、試料容器搬送装置２１０は、メモリ素子２３０を備える。示される実施形態において、メモリ素子２３０は、論理割り当てが有効であるということに基づいた情報、および論理割り当てが無効であるということに基づいた情報を格納するように適合される。代替的な実施形態において、メモリ素子は、検出された取り出しに基づいた情報、特に、検出された取り出し後の時間または時間期間を格納するように適合される。
【００５４】
詳細には、メモリ素子２３０は、図２および図３ではコンデンサ、図４および図６ではフリップフロップ、ならびに図５および図７ではマイクロコントローラを備える。特に、メモリ素子は２つの状態を有する。第１の状態は、論理割り当てが有効であることであり、第２の状態は、論理割り当てが無効であることである。
【００５５】
さらには、試料容器搬送装置２１０は、特にアンテナを備える、応答器２４０、特にＲＦＩＤ、ＮＦＣ応答器を備える。応答器２４０は、受信器２４１および送信器２４２を備える。
【００５６】
受信器２４１は、論理割り当てが有効であるということに基づいた情報を受信し、その情報をメモリ素子２３０に格納するように適合される。これは、試料容器搬送装置２１０またはそのメモリ素子２３０それぞれを装備することを表され得る。
【００５７】
示される実施形態において、送信器２４２は、論理割り当てが有効であるということに基づいた情報を送信するように適合される。代替的な実施形態において、送信器は、検出された取り出しに基づいた情報および／または論理割り当てが無効であるという情報を送信するように適合され得る。
【００５８】
詳細には、取り出し検出器２２０は、検出された取り出しに基づいて、論理割り当てが有効であるということに基づいた情報を、特にメモリ素子２３０から削除するように適合される。言い換えると、取り出し検出器２２０は、論理割り当てが無効であるということに基づいた情報を、特にメモリ素子２３０に格納するように適合される。有効情報が削除される場合、または、情報が、論理割り当てが無効であるというものである場合、それぞれにおいて、送信器２４２は送信しない。
【００５９】
特に、応答器２４０は、情報に対する問合せを、特にその受信器２４１によって受信し、受信した問合せに応答して、特に論理割り当てが有効であるという情報を、特にその送信器２４２によって送信するように適合される。
【００６０】
さらに、図２〜図６では、受信器２４１は、エネルギーを、特に、受信した情報からおよび／または問合せから収集し、試料容器搬送装置２１０、特にそのメモリ素子２３０に、収集したエネルギーを供給するように適合される。
【００６１】
図７では、試料容器搬送装置２１０は、独自の電力源２１１、特にバッテリを備える。
さらに、ラボラトリシステム２００は、図８に示されるように、特にグリッパを備える、装荷および割り当てステーション３００を備える。装荷および割り当てステーション３００は、ラボラトリ試料容器１３０を試料容器搬送装置２１０上に装荷し、装荷されたラボラトリ試料容器３００への試料容器搬送装置２１０の論理割り当てが有効であることを決定するように適合される。
【００６２】
さらには、ラボラトリシステム２００は、特にカメラを備える、バーコードリーダーおよび割り当てステーション３１０を備える。バーコードリーダーおよび割り当てステーション３１０は、ラボラトリ試料容器１３０のバーコードＢＣを読み取り、読み取られたバーコードＢＣを試料容器２１０に論理的に割り当てるように適合される。
【００６３】
さらに、ラボラトリシステムは、特にカメラを備える、送信器ステーション３２０、特に、ＲＦＩＤ、ＮＦＣ送信器ステーションを備える。送信器ステーション３２０は、論理割り当てが有効であるという情報を、試料容器搬送装置２１０に送信するように適合される。これは、試料容器搬送装置２１０またはそのメモリ素子２３０をそれぞれ装備することを表され得る。特に、送信器ステーション３２０は、特に情報を伴うエネルギーを、試料容器搬送装置２１０に送信するように適合される。
【００６４】
示される実施形態において、送信器ステーション３２０は、ラボラトリ試料容器１３０の読み取られたバーコードＢＣを試料容器２１０に送信する。それにより、装荷されたラボラトリ試料容器１３０への試料容器搬送装置２１０の論理割り当てが有効であるという情報が、試料容器搬送装置２１０に送信される。特に、装荷および割り当てステーション３００、バーコードリーダーおよび割り当てステーション３１０、ならびに送信器ステーション３２０は、図８において点線により示されるように、機能的に結合され、特に互いと信号接合状態にある。
【００６５】
詳細には、試料容器搬送装置２１０またはその応答器２４０はそれぞれ、制御回路２４３を備える。受信したバーコードＢＣは、制御回路２４３により格納される。
さらに、図２においてコンデンサを備えるメモリ素子２３０は、パワーハーベスティングによって、特に応答器２４０またはその制御回路２４３それぞれのパワーハーベスティング出力ＰＷを介して、荷電される。ラボラトリ試料容器１３０が取り出されるとき、図９に示されるように、コンデンサ２３０は無電荷である。メモリ状態は、次の問合せにより、応答器２４０またはその制御回路２４３それぞれによって、特に制御回路２４３のデジタル入力ＤＩを介して、読み出され得る。さらには、試料容器搬送装置２１０は、特にコンデンサ２３０のあまりに高速な再充電を、特に次の問合せの間は回避するために、時間遅延抵抗器２４４を備える。メモリ状態が、論理割り当てが無効であるという第２の状態である場合、格納されたバーコードＢＣは、制御回路２４３によって削除され、応答は送信されない。メモリ状態が、論理割り当てが有効であるという第１の状態である場合、格納されたバーコードＢＣが送信される。
【００６６】
図３においてコンデンサを備えるメモリ素子２３０は、パワーハーベスティングによって荷電され、特に制御回路２４３のデジタル出力ＤＯによってトリガされる。ラボラトリ試料容器１３０が取り出されるとき、コンデンサ２３０は無電荷である。メモリ状態は、次の問合せにより、応答器２４０またはその制御回路２４３それぞれによって読み出され得、コンデンサ２３０の再充電は、デジタル出力ＤＯをトリガしないことによって回避され得る。
【００６７】
図４において、フリップフロップ、特にＲＳフリップフロップを備えるメモリ素子２３０は、パワーハーベスティングによって荷電されるコンデンサ２４５によってバッファされる。フリップフロップ２３０は、デジタル出力ＤＯによって設定される。ラボラトリ試料容器１３０が取り出されるとき、フリップフロップ２３０は再設定される。メモリ状態は、次の問合せにより、応答器２４０またはその制御回路２４３それぞれによって読み出され得、フリップフロップ２３０の設定は、デジタル出力ＤＯをトリガしないことによって回避され得る。
【００６８】
図５においてマイクロコントローラを備えるメモリ素子２３０は、パワーハーベスティングによって荷電されるコンデンサ２４５によってバッファされる。マイクロコントローラ２３０は、取り出し検出器２２０、または取り出し検出器２２０のステータスをそれぞれチェックし、それを格納する。メモリ状態は、次の問合せにより、応答器２４０またはその制御回路２４３それぞれによって、特に、制御回路２４３とマイクロコントローラ２３０との間のバス接続によって、読み出され得る。
【００６９】
図６において、フリップフロップ、特にＲＳフリップフロップを備えるメモリ素子２３０は、パワーハーベスティングによって荷電されるコンデンサ２４５によってバッファされる。フリップフロップ２３０は、デジタル出力ＤＯによって設定される。ラボラトリ試料容器１３０が取り出されるとき、フリップフロップ２３０は再設定される。マイクロコントローラ２４６は、パワーハーベスティングによって、特に、収集されたエネルギーを供給される。メモリ状態は、次の問合せにより、応答器２４０またはその制御回路２４３それぞれによって、特に、マイクロコントローラ２４６を介した制御回路２４３とフリップフロップ２３０との間のバス接続によって、読み出され得る。言い換えると、マイクロコントローラ２４６は、制御回路２４３とフリップフロップ２３０との間の通信のために適合される、特にそのためだけに適合される。
【００７０】
図７においてマイクロコントローラを備えるメモリ素子２３０は、電力源２１１によって電力供給される。マイクロコントローラ２３０は、取り出し検出器２２０、または取り出し検出器２２０のステータスをそれぞれチェックし、特にデジタル出力からデジタル入力への信号によって、それを格納する。ラボラトリ試料容器１３０が取り出されるとき、デジタル入力はこれを検出する。デジタル出力は、特にエネルギーを節約し得る、低に設定され得る。メモリ状態は、次の問合せにより、応答器２４０またはその制御回路２４３それぞれによって、特に、制御回路２４３とマイクロコントローラ２３０との間のバス接続によって、読み出され得る。
【００７１】
言い換えると、試料容器搬送装置２１０は、検出された取り出しに基づいて、搬送されたラボラトリ試料容器１３０への試料容器搬送装置２１０の有効前の論理割り当てが無効であることを決定するように適合される。
【００７２】
さらに、ラボラトリシステム２００は、図１０に示されるように、特にアンテナを備える、受信器ステーション３３０、特にＲＦＩＤ、ＮＦＣ受信器ステーションを備える。示される実施形態において、受信器ステーション３３０は、論理割り当てが有効であるということに基づいた情報、特に、ラボラトリ試料容器１３０のバーコードＢＣを、試料容器搬送装置２１０から受信するように適合される。代替的な実施形態において、受信器ステーションは、検出された取り出しに基づいた情報および／または論理割り当てが無効であるという情報を受信するように適合され得る。
【００７３】
詳細には、受信器ステーション３３０は、問合せを送信するように適合され、試料容器搬送装置２１０は、論理割り当てが依然として有効である場合に応答する。有効情報が削除される場合、試料容器搬送装置２１０は応答せず、受信器ステーション３３０は情報を受信しない。これは、受信器ステーション３３０が、論理割り当てが無効であることを認識することを可能にする。特に、受信器ステーション３３０は、特に問合せを伴うエネルギーを、試料容器搬送装置２１０に送信するように適合される。
【００７４】
さらには、ラボラトリオートメーションシステム１０は、いくつかの分析ステーション２０を備える。いくつかの分析ステーション２０は、試料１３９を分析するように適合される。ラボラトリオートメーションシステム２００は、決定された無効な論理割り当てに基づいて、特にいくつかの分析ステーション２０によって分析すること、および／または分析結果を搬送されたラボラトリ試料容器１３０に含まれる試料１３９に論理的に割り当てることを防ぐように適合される。特に、試料容器搬送装置２１０は、決定された無効な論理割り当てに基づいて拒否される。
【００７５】
追加的に、ラボラトリオートメーションシステム１０は、有効な論理割り当てに基づいて、分析すること、および／または分析結果を搬送されたラボラトリ試料容器１３０に含まれる試料１３９に論理的に割り当てることを許可するように適合される。
【００７６】
特に、受信器ステーション３３０およびいくつかの分析ステーション２０は、図１０において点線により示されるように、機能的に結合され、特に互いと信号接合状態にある。
論理割り当て、特に、試料容器搬送装置２１０から送信され、かつ受信器ステーション３３０から受信されるバーコードＢＣの形態にある有効な論理割り当ては、ラボラトリ試料容器１３０、またはラボラトリ試料容器１３９に含まれる試料１３９それぞれを、ワークフローまたは処理パスそれぞれにわたって、制御および追跡することを許可するか、または可能にする。
【００７７】
自明であるが、図１１に示される２つを超える分析ステーション２０は、ラボラトリオートメーションシステム１０内に含まれ得る。
ラボラトリ試料容器１３０またはその開口部１３１はそれぞれ、ラボラトリ試料容器１３０に含まれる試料１３９を処理する、特に分析するために開口状態である。
【００７８】
さらに、試料容器搬送装置２１０は、図８〜図１１に示されるようなラボラトリ試料分配システム１００内、および／またはラボラトリオートメーションシステム１０内で、搬送された、特に開口状態の、ラボラトリ試料容器１３０を移動させるように適合される。
【００７９】
ラボラトリ試料分配システム１００は、輸送平面１１０、いくつかの駆動素子１２０、および制御デバイス１２５を備える。輸送平面１１０は、試料容器搬送装置２１０を支持するように適合される。いくつかの駆動素子１２０は、試料容器搬送装置２１０を輸送平面１１０上で移動させるように適合される。制御デバイス１２５は、試料容器搬送装置２１０が対応する輸送パスに沿って輸送平面１１０上を移動するように、いくつかの駆動素子１２０を制御するように構成される。
【００８０】
さらに、ラボラトリオートメーションシステム１０は、いくつかの分析前ステーションおよび／または分析後ステーションを備える。
装荷および割り当てステーション３００、バーコードリーダーおよび割り当てステーション３１０、送信器ステーション３２０、受信器ステーション３３０、いくつかの分析ステーション２０、いくつかの分析前ステーション、ならびにいくつかの分析後ステーションは、ラボラトリ試料分配システム１００に、特に輸送平面１１０に、隣接して配置される。
【００８１】
さらには、ラボラトリ試料分配システム１００は、試料容器搬送装置２１０を、装荷および割り当てステーション３００、バーコードリーダーおよび割り当てステーション３１０、送信器ステーション３２０、受信器ステーション３３０、いくつかの分析ステーション２０、いくつかの分析前ステーション、ならびにいくつかの分析後ステーションへ移動させるように適合される。
【００８２】
さらに、制御デバイス１２５は、装荷および割り当てステーション３００、バーコードリーダーおよび割り当てステーション３１０、送信器ステーション３２０、受信器ステーション３３０、いくつかの分析ステーション２０、いくつかの分析前ステーション、ならびにいくつかの分析後ステーションを制御するように構成される。
【００８３】
詳細には、試料容器搬送装置２１０は、輸送平面１１０上で互いに垂直である２つの次元、ｘ、ｙに、並進移動され得る。示される実施形態において、試料容器搬送装置２１０の滑動表面は、輸送平面１１０と接触状態にあるように適合され、輸送平面１１０上での試料容器搬送装置２１０の移動、特に滑動を実施することを可能にする。特に、ラボラトリ試料分配システム１００は、複数の試料容器搬送装置１１０を備える。自明であるが、図１１に示される３つを超える試料容器搬送装置２１０は、ラボラトリ試料分配システム１００内に含まれ得る。制御デバイス１２５は、複数の試料容器搬送装置２１０が、対応する、特に個別の、輸送パスに沿って、輸送平面１１０上を同時に移動するように、いくつかの駆動素子１２０を制御するように構成される。
【００８４】
示される実施形態において、試料容器搬送装置２１０は、図１２に示されるように、磁気的に活性なデバイス２１５を、特に永久磁石の形態で、備える。いくつかの駆動素子１２０は、いくつかの電磁アクチュエータ１２１を備える。いくつかの電磁アクチュエータ１２１は、輸送平面１１０の下に静止配置され、かつ、磁気駆動力を試料容器搬送装置２１０に印加することによって、試料容器搬送装置２１０を輸送平面１１０上で移動させるように適合される。制御デバイス１２５は、試料容器搬送装置２１０が対応する輸送パスに沿って輸送平面１１０上を移動するように、いくつかの電磁アクチュエータ１２１を制御するように構成される。
【００８５】
詳細には、いくつかの電磁アクチュエータ１２１は、試料容器搬送装置２１０を輸送平面１１０上で移動させるために磁場を生成するように適合される。磁気的に活性なデバイス２１５は、磁気駆動力が試料容器搬送装置２１０に印加されるように、いくつかの電磁アクチュエータ１２１によって生成される磁場と相互作用するように適合される。さらには、いくつかの電磁アクチュエータ１２１は、磁場を生成するために、個別に駆動され得る。特に、いくつかの電磁アクチュエータ１２１は、強磁性コアを有するソレノイドとして実装される。さらに、電磁アクチュエータ１２１は、行および列を有するグリッド内に、特に輸送平面１１０に平行の平面において、正方形に配置される。対応する電磁アクチュエータ１２１によって形成される正方形の各中心内には、電磁アクチュエータは配置されない。言い換えると、各々の第２の位置内の各々の第２の行内には、電磁アクチュエータ１２１が存在しない。
【００８６】
さらに、ラボラトリ試料分配システム１００は、いくつかのホールセンサ１４０を備える。いくつかのホールセンサ１４０は、それぞれの試料容器搬送装置２１０の輸送平面１１０上の位置が検出され得るように配置される。制御デバイス１２５は、試料容器搬送装置２１０の位置を検出するためのホールセンサ１４０に、機能的に結合され、特にそれと信号接続状態にある。制御デバイス１２５は、検出された位置に応答して、電磁アクチュエータ１２１を制御するように適合される。
【００８７】
示される、かつ上に論じられる実施形態が明らかにするように、本発明は、試料への分析結果の論理割り当ての完全性を確実にすることを可能にするラボラトリシステムを提供する。さらには、本発明は、そのようなラボラトリシステムを備えるラボラトリ試料分配システム、ならびにそのようなラボラトリシステムおよび／またはそのようなラボラトリ試料分配システムを備えるラボラトリオートメーションシステムを提供する。
【符号の説明】
【００８８】
１０  ラボラトリオートメーションシステム
２０  分析ステーション
１００  ラボラトリ試料分配システム
１１０  輸送平面
１２０  駆動素子
１２１  電磁アクチュエータ
１２５  制御デバイス
１３０  ラボラトリ試料容器
１３９  試料
１４０  ホールセンサ
２００  ラボラトリシステム
２１０  試料容器搬送装置
２１１  電力源
２１５  磁気的に活性なデバイス
２１９  保持要素
２２０  取り出し検出器
２２１  スイッチ
２３０  メモリ素子/コンデンサ/フリップフロップ/マイクロコントローラ
２４０  応答器
２４１  受信器
２４２  送信器
２４３  制御回路
３００  装荷および割り当てステーション
３１０  バーコードリーダーおよび割り当てステーション
３２０  送信器ステーション
３３０  受信器ステーション
【図１】
2019158875.tif 000003
【図２】
2019158875.tif 000004
【図３】
2019158875.tif 000005
【図４】
2019158875.tif 000006
【図５】
2019158875.tif 000007
【図６】
2019158875.tif 000008
【図７】
2019158875.tif 000009
【図８】
2019158875.tif 000010
【図９】
2019158875.tif 000011
【図１０】
2019158875.tif 000012
【図１１】
2019158875.tif 000013
【図１２】
2019158875.tif 000014
【外国語明細書】
2019158875000001.pdf